(57)【特許請求の範囲】
【請求項１】
デッキボードに穿設された一対の開口と、該開口で挟まれた、手で掴むことが可能な架橋部とからなる把手部材を有するとともに、前記架橋部の裏面の略中央部に垂設されたリブと前記架橋部の裏面とにより形成される隅部に、隅リブを、該隅リブ間に指が入らないような間隔で形成したことを特徴とする合成樹脂製パレット。
【発明の詳細な説明】
【０００１】
【発明の属する技術分野】
本発明は、物品を載置して運搬、保管等に供される合成樹脂製パレットに関するものである。
【０００２】
【従来の技術】
従来、合成樹脂製パレットのデッキボードに複数の持ち手用の開口を形成し、該開口に手を入れて、合成樹脂製パレットを持ち上げ、運搬するようにした合成樹脂製パレットが知られている（例えば、特開平９−１６９３３６号公報、特開平１０−１９４２８１号公報等参照）。
【０００３】
【発明が解決しようとする課題】
上述した従来の合成樹脂製パレットにおいては、持ち手用の開口に手を差し込んで、開口周縁に、単に指を引っ掛けて持ち上げるように構成されているために、安定した状態で合成樹脂製パレットを持ち上げ搬送することができないという問題があった。
【０００４】
また、デッキボードの裏面に、持ち手用の開口に沿ってリブが形成されているために、該開口に手を入れて、合成樹脂製パレットを持ち上げた際に、リブが手に当たり、手が痛くなるという問題があった。
【０００５】
更に、デッキボードの裏面に、持ち手用の開口に沿ってリブが形成されていると、溜まった雨水や洗浄水やゴミ等が、リブがあるために排出されにくいという問題があった。この問題は、持ち手用の開口が桁部に形成されている場合に、特に顕著になる。
【０００６】
本発明の目的は、上述した従来の合成樹脂製パレットが有する課題を解決することにある。
【０００７】
【課題を解決するための手段】
本発明は、上述した目的を達成するために、デッキボードに穿設された一対の開口と、該開口で挟まれた、手で掴むことが可能な架橋部とからなる把手部材を有するとともに、前記架橋部の裏面の略中央部に垂設されたリブと前記架橋部の裏面とにより形成される隅部に、隅リブを、該隅リブ間に指が入らないような間隔で形成したものである。
【０００８】
【実施例】
先ず最初に、一例としての合成樹脂製パレットＰについて説明する。
【０００９】
１は、上部デッキボードであり、２は下部デッキボードであり、上部デッキボード１と下部デッキボード２とは、同一形状に、射出成形等により成形されている。上部デッキボード１と下部デッキボード２とには、一方の相対する辺に沿って平行に形成された端部桁３、４と、該端部桁３、４に平行で、且つ、中央部に形成された中央桁５、６とが形成されており、端部桁３、４同士及び中央桁５、６同士を、その端面において、それぞれ、溶着接合することにより、合成樹脂製パレットＰが形成されている。そして、端部桁３、４と中央桁５、６との間には、２つのフォーク差込み口７が形成されており、所謂、２方差しの合成樹脂製パレットＰが形成されている。
【００１０】
上部デッキボード１の裏面１ａには、縦横に走るリブ１ｂが垂設されており、同様に、下部デッキボード２の上面２ａ（上部デッキボード１の裏面１ａに対向する面）にも、縦横に走るリブ２ｂが立設されている。
【００１１】
８は、上部デッキボード１及び下部デッキボード２に、所定の間隔を置いて穿設された一対の略方形状の開口８ａ、８ｂと、開口８ａ、８ｂで挟まれた、手に掴むことが可能な架橋部８ｃとからなる把手部材であり、把手部材８は、一対の把手部材８の架橋部８ｃを、両手で、それぞれ掴むことが可能な間隔を置いて、少なくとも、上部デッキボード１及び下部デッキボード２に一対、形成されていることが好ましい。図１には、把手部材８が、上部デッキボード１及び下部デッキボード２に、それぞれ、２カ所、形成されている例が示されている。９は、同じく後述する、上部デッキボード１及び下部デッキボード２に穿設された１つの開口からなる持ち手用の開口部である。
【００１２】
次に、一対の開口８ａ、８ｂと手に掴むことが可能な架橋部８ｃとからなる把手部材８について更に詳述するが、上部デッキボード１と下部デッキボード２に形成された把手部材８は、同じ構成を有しているので、以下においては、上部デッキボード１に形成された把手部材８を例に詳述する。
【００１３】
図５に示されているように、把手部材８は、上部デッキボード１の裏面１ａに垂設された包囲リブ１０により囲まれており、上部デッキボード１の一部を構成する架橋部８ｃの裏面８ｃ’の略中央部には、包囲リブ１０を構成する一方の相対するリブ１０ａを連結するとともに、略方形状の開口８ａ、８ｂに沿った連結リブ１０ｂが垂設されている。このような包囲リブ１０や連結リブ１０ｂは、上述した上部デッキボード１の裏面１ａに垂設されたリブ１ｂで兼用することもできる。
【００１４】
包囲リブ１０を構成する、連結リブ１０ｂに平行な相対するリブ１０ｃと、該リブ１０ｃに対して、略方形状の開口８ａ、８ｂ側に位置する上部デッキボード１の裏面１ａとにより形成される隅部には、略四分円状或いは略三角形状の隅リブ１１が、該隅リブ１１間に指が入らないような間隔で、開口８ａ、８ｂに沿って形成されている。また、連結リブ１０ｂと架橋部８ｃの裏面８ｃ’とにより形成される隅部にも、上記の隅リブ１１と同様の略四分円状或いは略三角形状の隅リブ１２が、該隅リブ１２間に指が入らないような間隔で、開口８ａ、８ｂに沿って形成されている。また、包囲リブ１０により囲まれた上部デッキボード１の厚さｄ１は、包囲リブ１０により囲まれていない他の部分の上部デッキボード１の厚さｄ２より厚くするとともに、開口８ａ、８ｂ側の角部には、アール１３を形成することが好ましい。
【００１５】
次に、主として、図１及び図４を用いて、作業者による、合成樹脂製パレットＰの取り扱い方法について説明する。
【００１６】
図４に示されているように、一方の手Ｈの親指ｈ１を、一対の把手部材８を構成する一方の把手部材８の開口８ｂに挿入するとともに、他の四本の指ｈ２を、もう一方の開口８ａに挿入し、手Ｈで、架橋部８ｃ及び連結リブ１０ｂと架橋部８ｃの裏面８ｃ’とにより形成された隅部に設けられた隅リブ１２とを掴む。また、同様に、もう一方の手Ｈの親指ｈ１を、一対の把手部材８を構成するもう一方の把手部材８の開口８ｂに挿入するとともに、他の四本の指ｈ２を、もう一方の開口８ａに挿入し、手Ｈで、架橋部８ｃ及び連結リブ１０ｂと架橋部８ｃの裏面８ｃ’とにより形成された隅部に設けられた隅リブ１２とを掴む。このようにして、両手Ｈで、一対の把手部材８を構成する把手部材８の架橋部８ｃと隅リブ１２とを掴んで合成樹脂製パレットＰを持ち上げて、所定の場所まで、合成樹脂製パレットＰを運ぶ。
【００１７】
上述したように、手Ｈで、架橋部８ｃ及び連結リブ１０ｂと架橋部８ｃの裏面８ｃ’とにより形成された隅部に設けられた隅リブ１２とを掴むようにしたので指ｈ１、ｈ２に力が入り易くなり、従来のように、単に、開口周辺のリブに、指を引っ掛けて、合成樹脂製パレットを略立てた状態で運ぶように構成された合成樹脂製パレットに比べ、合成樹脂製パレットＰを、しっかりと確実に把持し、運ぶことができる。
【００１８】
また、隅リブ１２の形状が略四分円状或いは略三角形状に形成されており、指ｈ１、ｈ２が当たる部分に、角部や出っ張りが形成されていないので、手Ｈが痛くないし、更に、隅リブ１２は、隅リブ１２間に指が入らないような間隔で形成されているので、指ｈ１、ｈ２が、隅リブ１２間に形成された間隙に入り込むようなことが防止できる。
【００１９】
更に、包囲リブ１０により囲まれた上部デッキボード１の厚さｄ１を、他の部分の上部デッキボード１の厚さｄ２より、厚くするとともに、開口８ａ、８ｂ側の角部にアール１３を形成することにより、アール１３を、より大きくすることができるので、この部分に手Ｈが当たっても痛くない。
【００２０】
上述したように、包囲リブ１０を構成する、連結リブ１０ｂに平行な相対するリブ１０ｃと、該リブ１０ｃに対して、略方形状の開口８ａ、８ｂ側に位置する上部デッキボード１の裏面１ａとにより形成される隅部にも、略四分円状或いは略三角形状の隅リブ１１が形成されているので、従来のように、親指ｈ１以外の指ｈ２を、把手部材８の何方か一方の開口８ａ、８ｂに挿入して、指ｈ２を、隅リブ１１に引っ掛け、合成樹脂製パレットＰを略立てた状態で運ぶような場合にも、指ｈ２が痛くなるようなことがないし、また、隅リブ１１は、隅リブ１１間に指が入らないような間隔で形成されているので、指ｈ２が、隅リブ１１間に形成された間隙に入り込むようなことも防止できる。
【００２１】
本実施例においては、図５に示されているように、上述した略方形状の持ち手用の開口部９も、同様に、上部デッキボード１の裏面１ａに垂設された包囲リブ１４により囲まれており、また、包囲リブ１４を構成する相対するリブ１４ａと、該リブ１４ａに対して、開口部９側に位置する上部デッキボード１の裏面１ａとにより形成される隅部にも、上述した隅リブ１１、１２と同様の隅リブ１５が形成されている。従って、親指ｈ１以外の指ｈ２を、開口部９に挿入して、指ｈ２を、隅リブ１５に引っ掛け、開口部９を利用して、合成樹脂製パレットＰを略立てた状態で運ぶような場合にも、指ｈ２が痛くなるようなことがないし、また、隅リブ１５は、隅リブ１５間に指が入らないような間隔で形成されているので、指ｈ２が、隅リブ１５間に形成された間隙に入り込むようなことも防止できる。
【００２２】
上述した実施例においては、一対の把手部材８を、把手部材８の架橋部８ｃを、両手で、それぞれ掴むことが可能な間隔を置いて、少なくとも、上部デッキボード１及び下部デッキボード２に一対、形成した例を示したが、合成樹脂製パレットＰが片手で搬送可能な場合には、当然のことながら、把手部材８を、上部デッキボード１及び下部デッキボード２に、１か所のみ形成することもできる。
【００２３】
なお、上述した実施例においては、２方差しの合成樹脂製パレットを例に、本発明を説明したが、当然のことながら、４方差しの合成樹脂製パレットに適用することもできる。
【００２４】
【発明の効果】
本発明は、以上説明した構成を有しているので、以下に記載する効果を奏するものである。
【００２５】
把手部材を構成する架橋部を、手で掴むようにして、合成樹脂製パレットを運ぶことができるので、指に力が入り易くなり、従来のように、単に、開口周辺のリブに、指を引っ掛けて、合成樹脂製パレットを略立てた状態で運ぶようにしたものに比べ、合成樹脂製パレットを、しっかりと確実に把持し、運ぶことができる。
【００２６】
架橋部の裏面の略中央部に垂設されたリブと架橋部の裏面とにより形成された隅部に、隅リブを形成したので、合成樹脂製パレットを運ぶ際に、指が痛くなるようなことがないし、また、隅リブは、隅リブ間に指が入らないような間隔で形成されているので、指が、隅リブ間に形成された間隙に入り込むようなことが防止できる。
【図面の簡単な説明】
【図１】図１は本発明の合成樹脂製パレットの斜視図である。
【図２】図２は図１のＩ−Ｉ線に沿った本発明の合成樹脂製パレットの垂直断面図である。
【図３】図３は本発明の合成樹脂製パレットの上部デッキボードを裏側から見た部分斜視図である。
【図４】図４は図１のII−II線に沿った本発明の合成樹脂製パレットの垂直断面図である。
【図５】図５は本発明の合成樹脂製パレットの上部デッキボードの部分裏面図である。
【符号の説明】
Ｐ・・・・・・・・合成樹脂製パレット
１・・・・・・・・上部デッキボード
２・・・・・・・・下部デッキボード
８・・・・・・・・把手部材
８ａ、８ｂ・・・・開口
１０・・・・・・・包囲リブ
１１、１２・・・・隅リブ
【図１】
0004303372.tif 000002
【図２】
0004303372.tif 000003
【図３】
0004303372.tif 000004
【図４】
0004303372.tif 000005
【図５】
0004303372.tif 000006